(57)【要約】【課題】  少なくとも１つ以上の複数のファイル形式のファイルが階層構造で記録された光ディスクを再生する際、所望のファイルのファイル形式を選択して、選択されたファイル形式のファイル名を抽出してファイル一覧を表示し、表示されたファイル一覧のファイル名を選択して、選択されたファイル名のファイルから光ディスクを再生することができるようにする。【解決手段】  光ディスクに記録されたファイルのファイル形式を選択して、光ディスクに階層構造で記録された全フォルダの中から再生可能なファイルのファイル名を読み出し、読み出されたファイル名の中から選択されたファイル形式のファイル名を抽出して、抽出されたファイル名のファイル一覧を表示し、表示されたファイル一覧のファイル名を選択して、選択されたファイル名のファイルから光ディスクを再生するようにする。【選択図】        図３
2005135472.tif 000002
【特許請求の範囲】
【請求項１】
少なくとも１つ以上の複数のファイル形式のファイルが階層構造で記録された光ディスクを再生するディスク再生装置であって、
光ディスクに記録されたＭＰ３形式、ＷＭＡ形式又はＪＰＥＧ形式のファイル形式を選択するファイル形式選択手段と、光ディスクに階層構造で記録された全フォルダの中から再生可能なファイルのファイル名を読み出す読出手段と、前記読出手段により読み出されたファイル名の中から前記ファイル形式選択手段により選択されたファイル形式のファイル名を抽出する抽出手段と、前記抽出手段により抽出されたファイル名を名前順にソートしてファイル一覧を表示する表示手段であって、ファイル一覧のファイル名が一画面に表示しきれない場合に、所定の操作キーが操作されたとき、ファイル一覧のファイル名をスクロールさせて表示する表示手段と、前記表示手段により表示されたファイル一覧のファイル名を選択するファイル選択手段と、前記ファイル選択手段により選択されたファイル名のファイルから光ディスクを再生する再生手段とを備えたことを特徴とするディスク再生装置。
【請求項２】
少なくとも１つ以上の複数のファイル形式のファイルが階層構造で記録された光ディスクを再生するディスク再生装置であって、
光ディスクに記録されたファイルのファイル形式を選択するファイル形式選択手段と、光ディスクに階層構造で記録された全フォルダの中から再生可能なファイルのファイル名を読み出す読出手段と、前記読出手段により読み出されたファイル名の中から前記ファイル形式選択手段により選択されたファイル形式のファイル名を抽出する抽出手段と、前記抽出手段により抽出されたファイル名のファイル一覧を表示する表示手段と、前記表示手段により表示されたファイル一覧のファイル名を選択するファイル選択手段と、前記ファイル選択手段により選択されたファイル名のファイルから光ディスクを再生する再生手段とを備えたことを特徴とするディスク再生装置。
【請求項３】
前記ファイル形式選択手段は、ＭＰ３形式のファイル形式を選択するファイル形式選択手段であることを特徴とする請求項２記載のディスク再生装置。
【請求項４】
前記ファイル形式選択手段は、ＷＭＡ形式のファイル形式を選択するファイル形式選択手段であることを特徴とする請求項２記載のディスク再生装置。
【請求項５】
前記ファイル形式選択手段は、ＪＰＥＧ形式のファイル形式を選択するファイル形式選択手段であることを特徴とする請求項２記載のディスク再生装置。
【請求項６】
前記表示手段は、前記抽出手段により抽出されたファイル名を名前順にソートしてファイル一覧を表示する表示手段であることを特徴とする請求項２記載のディスク再生装置。
【請求項７】
前記表示手段は、ファイル一覧のファイル名が一画面に表示しきれない場合に、所定の操作キーが操作されたとき、ファイル一覧のファイル名をスクロールさせて表示する表示手段であることを特徴とする請求項２記載のディスク再生装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）等の光ディスクを再生する光ディスク再生装置に係り、特にユーザが所望するＭＰ３（Ｍｏｖｉｎｇ  Ｐｉｃｔｕｒｅ  Ｃｏｄｉｎｇ  Ｅｘｐｅｒｔｓ  Ｇｒｏｕｐ  Ａｕｄｉｏ  Ｌａｙｅｒ  ３）形式、ＷＭＡ（Ｗｉｎｄｏｗｓ（登録商標）  Ｍｅｄｉａ  Ａｕｄｉｏ）形式、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）形式等のファイル形式のファイル名を抽出してそのファイル一覧を表示することができるディスク再生装置に関する。
【背景技術】
【０００２】
従来、光ディスクの階層構造のフォルダの下に記録されたＭＰ３形式、ＷＭＡ形式、ＪＰＥＧ形式等のファイルを再生する場合、ユーザは、所望のファイルが入っているフォルダの階層を移動して、そのファイルを選択して再生しなければならないという煩わしい問題点があった。また、所望のファイルが入っているフォルダを忘れた場合、ユーザは、複数のフォルダの階層を次々移動して、所望のファイルを探索しなければならないという問題点があった。
【０００３】
背景技術としては、ＭＰ３形式で記憶媒体中に記録されたＭＰ３形式のファイル名を一覧表示させ、表示されたファイル名の一覧から対話式に再生を所望するファイル名を選択するようにしたものがあった（例えば、特許文献１参照）。
【０００４】
また、記録媒体からファイル構造の階層情報を取得して、取得した階層情報に従って記録媒体に記録されたフォルダの下の楽曲データを検索し、記録媒体からテキスト情報を取得して、検索された楽曲データの識別名称又は取得されたテキスト情報に含まれる楽曲データの識別名称を表示するようにしたものがあった（例えば、特許文献２参照）。
【０００５】
また、プログラム再生の設定時に、装着されているディスクの一覧を表示し、その一覧の中から指定されたディスク、ディレクトリ及びファイルをプログラム再生対象として記億して、プログラム再生の実行時に、プログラム再生対象を所定の順番で再生するようにしたものがあった（例えば、特許文献３参照）。
【０００６】
また、光ディスクに書き込まれているファイルのディレクトリ情報を光ディスクから読み出して、読み出されたディレクトリ情報を一画面分保持し、保持されたディレクトリ情報を一画面ずつディスプレイに表示するようにしたものがあった（例えば、特許文献４参照）。
【特許文献１】特開２００２−３４３０６７号公報
【特許文献２】特開２００１−２６６５５４号公報
【特許文献３】特開２００３−２０３４６８号公報
【特許文献４】特開平４−２５９９７８号公報
【発明の開示】
【発明が解決しようとする課題】
【０００７】
しかしながら、背景技術で述べたもののうち最初のものにおいては、ＭＰ３形式で記憶媒体中に記録されたＭＰ３形式のファイル名を一覧表示させ、表示されたファイル名の一覧から対話式に再生を所望するファイル名を選択するようにしたものであって、少なくとも１つ以上の複数のファイル形式のファイルが階層構造で記録された光ディスクを再生する際、所望のファイルのファイル形式を選択して、選択されたファイル形式のファイルのファイル名を抽出してファイル一覧を表示するようにしたものではなかった。
【０００８】
また、次のものにおいては、記録媒体からファイル構造の階層情報を取得して、取得した階層情報に従って記録媒体に記録されたフォルダの下の楽曲データを検索し、記録媒体からテキスト情報を取得して、検索された楽曲データの識別名称又は取得されたテキスト情報に含まれる楽曲データの識別名称を表示するようにしたものであって、上記同様、少なくとも１つ以上の複数のファイル形式のファイルが階層構造で記録された光ディスクを再生する際、所望のファイルのファイル形式を選択して、選択されたファイル形式のファイルのファイル名を抽出してファイル一覧を表示するようにしたものではなかった。
【０００９】
また、更にその次のものにおいては、プログラム再生の設定時に、装着されているディスクの一覧を表示し、その一覧の中から指定されたディスク、ディレクトリ及びファイルをプログラム再生対象として記億して、プログラム再生の実行時に、プログラム再生対象を所定の順番で再生するようにしたものであって、上記同様、少なくとも１つ以上の複数のファイル形式のファイルが階層構造で記録された光ディスクを再生する際、所望のファイルのファイル形式を選択して、選択されたファイル形式のファイルのファイル名を抽出してファイル一覧を表示するようにしたものではなかった。
【００１０】
また、更にその次のものにおいては、光ディスクに書き込まれているファイルのディレクトリ情報を光ディスクから読み出して、読み出されたディレクトリ情報を一画面分保持し、保持されたディレクトリ情報を一画面ずつディスプレイに表示するようにしたものであって、上記同様、少なくとも１つ以上の複数のファイル形式のファイルが階層構造で記録された光ディスクを再生する際、所望のファイルのファイル形式を選択して、選択されたファイル形式のファイルのファイル名を抽出してファイル一覧を表示するようにしたものではなかった。
【００１１】
本発明は、背景技術の有するこのような問題点に鑑みてなされたものであり、その目的とするところは、少なくとも１つ以上の複数のファイル形式のファイルが階層構造で記録された光ディスクを再生する際、所望のファイルのファイル形式を選択して、選択されたファイル形式のファイル名を抽出してファイル一覧を表示し、表示されたファイル一覧のファイル名を選択して、選択されたファイル名のファイルから光ディスクを再生することができるディスク再生装置を提供しようとするものである。
【課題を解決するための手段】
【００１２】
上記目的を達成するため本発明においては、少なくとも１つ以上の複数のファイル形式のファイルが階層構造で記録された光ディスクを再生するディスク再生装置であって、光ディスクに記録されたファイルのファイル形式を選択するファイル形式選択手段と、光ディスクに階層構造で記録された全フォルダの中から再生可能なファイルのファイル名を読み出す読出手段と、前記読出手段により読み出されたファイル名の中から前記ファイル形式選択手段により選択されたファイル形式のファイル名を抽出する抽出手段と、前記抽出手段により抽出されたファイル名のファイル一覧を表示する表示手段と、前記表示手段により表示されたファイル一覧のファイル名を選択するファイル選択手段と、前記ファイル選択手段により選択されたファイル名のファイルから光ディスクを再生する再生手段とを備える。
【００１３】
前記ファイル形式選択手段は、ＭＰ３形式のファイル形式を選択するようにするとよい。
【００１４】
また、前記ファイル形式選択手段は、ＷＭＡ形式のファイル形式を選択するようにするとよい。
【００１５】
また、前記ファイル形式選択手段は、ＪＰＥＧ形式のファイル形式を選択するようにするとよい。
【００１６】
前記表示手段は、前記抽出手段により抽出されたファイル名を名前順にソートしてファイル一覧を表示するようにするとよい。
【００１７】
また、前記表示手段は、ファイル一覧のファイル名が一画面に表示しきれない場合、所定の操作キーが操作されたとき、ファイル一覧のファイル名をスクロールさせて表示するようにするとよい。
【００１８】
これらの手段により、少なくとも１つ以上の複数のファイル形式のファイルが階層構造で記録された光ディスクを再生する際、所望のファイルのファイル形式を選択して、選択されたファイル形式のファイル名を抽出してファイル一覧を表示し、表示されたファイル一覧のファイル名を選択して、選択されたファイル名のファイルから光ディスクを再生することができる。
【発明の効果】
【００１９】
請求項１記載の発明に係るディスク再生装置によれば、光ディスクに記録されたＭＰ３形式、ＷＭＡ形式又はＪＰＥＧ形式のファイル形式を選択して、光ディスクに階層構造で記録された全フォルダの中から再生可能なファイルのファイル名を読み出し、読み出されたファイル名の中から選択されたファイル形式のファイル名を抽出して、抽出されたファイル名を名前順にソートしてファイル一覧を表示するとともに、ファイル一覧のファイル名が一画面に表示しきれない場合に、所定の操作キーが操作されたとき、ファイル一覧のファイル名をスクロールさせて表示し、表示されたファイル一覧のファイル名を選択して、選択されたファイル名のファイルから光ディスクを再生するようにしているので、少なくとも１つ以上の複数のファイル形式のファイルが階層構造で記録された光ディスクを再生する際、所望のファイルのファイル形式を選択して、選択されたファイル形式のファイル名を抽出してファイル一覧を表示し、表示されたファイル一覧のファイル名を選択して、選択されたファイル名のファイルから光ディスクを再生することができる。
【００２０】
請求項２記載の発明に係るディスク再生装置によれば、光ディスクに記録されたファイルのファイル形式を選択して、光ディスクに階層構造で記録された全フォルダの中から再生可能なファイルのファイル名を読み出し、読み出されたファイル名の中から選択されたファイル形式のファイル名を抽出して、抽出されたファイル名のファイル一覧を表示し、表示されたファイル一覧のファイル名を選択して、選択されたファイル名のファイルから光ディスクを再生するようにしているので、少なくとも１つ以上の複数のファイル形式のファイルが階層構造で記録された光ディスクを再生する際、所望のファイルのファイル形式を選択して、選択されたファイル形式のファイル名を抽出してファイル一覧を表示し、表示されたファイル一覧のファイル名を選択して、選択されたファイル名のファイルから光ディスクを再生することができる。
【００２１】
請求項３記載の発明に係るディスク再生装置によれば、ＭＰ３形式のファイル形式を選択して、ＭＰ３形式のファイルのファイル名のファイル一覧を表示するようにしているので、ユーザが所望するＭＰ３形式のファイルを容易に探索することができる。
【００２２】
請求項４記載の発明に係るディスク再生装置によれば、ＷＭＡ形式のファイル形式を選択して、ＷＭＡ形式のファイルのファイル名のファイル一覧を表示するようにしているので、ユーザが所望するＷＭＡ形式のファイルを容易に探索することができる。
【００２３】
請求項５記載の発明に係るディスク再生装置によれば、ＪＰＥＧ形式のファイル形式を選択して、ＪＰＥＧ形式のファイルのファイル名のファイル一覧を表示するようにしているので、ユーザが所望するＪＰＥＧ形式のファイルを容易に探索することができる。
【００２４】
請求項６記載の発明に係るディスク再生装置によれば、抽出されたファイル名を名前順にソートしてファイル一覧を表示するようにしているので、ユーザが名前順にソートされたファイル名のファイル一覧を見て、所望のファイルを容易に探索することができる。
【００２５】
請求項７記載の発明に係るディスク再生装置によれば、ファイル一覧のファイル名が一画面に表示しきれない場合に、所定の操作キーが操作されたとき、ファイル一覧のファイル名をスクロールさせて表示するようにしているので、ファイル一覧のファイル名が一画面に表示しきれない場合であっても、ユーザが所定の操作キーを操作することにより所望のファイルを容易に探索することができる。
【発明を実施するための最良の形態】
【００２６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の画面表示例を示す説明図であり、図４、図５は本発明の一実施例のディスク再生装置の動作を示すフローチャートである。
【００２７】
まず、図１の本発明の一実施例のディスク再生装置の構成を示すブロック図を基に説明する。
【００２８】
ディスク再生装置１は、光ディスク２に記録されている映像音声信号を光学的に読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された映像／音声信号を基準クロックに基づいて同期検出し、アナログ信号の映像／音声信号をデジタル信号に変換する同期検出／ＡＤ変換回路６と、デジタル信号に変換された映像／音声信号を復調し、復調された映像／音声信号の誤りを訂正する復調／誤り訂正回路７と、所定の圧縮方式に基づいて圧縮された映像／音声信号を伸張して、元の映像／音声信号を復号するデコーダ８と、復号された映像／音声信号を所定の信号方式に従ったコンポジット信号の映像／音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像／音声信号に符号化し、符号化された映像／音声信号をアナログ信号の映像／音声信号に変換するエンコーダ／ＤＡ変換回路９と、文字情報信号を映像信号に重畳して、文字情報をテレビ装置３０に表示するＯＳＤ（Ｏｎ−Ｓｃｒｅｅｎ  Ｃｈａｒａｃｔｅｒ  Ｄｉｓｐｌａｙ）回路１０と、ディスク再生装置１のシステム全体を制御するマイコン１１と、リモコン装置２０から送信された赤外線信号のリモコン信号を受信して、所定の電気信号に変換するリモコン受信部１２とで構成されている。
【００２９】
また、リモコン装置２０には、図２に示すように、ディスク再生装置１に装着された光ディスク２の再生方法を選択する選択メニュ画面の表示を指令するメニュキー２０ａ、メニュ画面に表示された選択項目を選択するカーソルキー２０ｂ、カーソルキー２０ｂによって選択された選択項目の選択を決定する決定キー２０ｃ等の複数の操作キーが設けられていて、それらの操作キーを操作することによりディスク再生装置１を所望動作させることができるようになっている。
【００３０】
以上のように構成されたディスク再生装置について、以下その動作について説明する。
【００３１】
リモコン装置２０の操作キーが操作されると、操作された操作キーのリモコン信号がリモコン装置２０から赤外線信号のリモコン信号として送信され、リモコン受信部１２により受信され、所定の電気信号に変換されてマイコン１１に送出される。選択メニュ画面の表示を指令するリモコン装置２０のメニュキー２０ａのリモコン信号を受信すると、マイコン１１は、文字情報信号と制御信号とをＯＳＤ回路１０に送出して、テレビ装置３０の画面に選択メニュ画面を表示する（図３（ａ）参照）。
【００３２】
リモコン装置２０のカーソルキー２０ｂの操作により選択メニュ画面に表示された「ディスク情報」が選択されると、マイコン１１は、ＯＳＤ回路１０に制御信号を送出して、選択された「ディスク情報」をハイライト表示する（図３（ａ）参照。なお、同図では、ハイライト表示を矩形枠で示している）。そして、リモコン装置２０の決定キー２０ｃが操作されると、マイコン１１は、サーボ回路５に制御信号を送出して、スピンドルモータ４とスレッドモータ（図示せず）とを駆動し、光ピックアップ３を光ディスク２の半径方向に移動させて、ディスク再生装置１に装着された光ディスク２のディスク情報を光学的に読み出し、文字情報信号と制御信号とをＯＳＤ回路１０に送出して、光ディスク２から読み出したディスク情報をテレビ装置３０の画面３０ａに表示する（図３（ｂ）参照。なお、同図において、□マークはフォルダを、♪３マークはＭＰ３形式のファイルを、♪ＷマークはＷＭＡ形式のファイルを、◎マークはＪＰＥＧ形式のファイルをそれぞれ示している）。リモコン装置２０のカーソルキー２０ｂと決定キー２０ｃとの操作によりテレビ装置３０の画面３０ａに表示されたディスク情報のファイル名が選択されると、マイコン１１は、ＯＳＤ回路１０に制御信号を送出して、選択されたディスク情報のファイルをハイライト表示し（図３（ｂ）参照）、サーボ回路５に制御信号を送出して、スピンドルモータ４とスレッドモータ（図示せず）とを駆動し、光ピックアップ３を光ディスク２の半径方向に移動させて、選択されたファイル名のファイルから光ディスク２を再生する。また、リモコン装置２０のカーソルキー２０ｂと決定キー２０ｃとの操作によりテレビ装置３０の画面３０ａに表示されたディスク情報のフォルダが選択されると、マイコン１１は、サーボ回路５に制御信号を送出して、スピンドルモータ４とスレッドモータ（図示せず）とを駆動し、光ピックアップ３を光ディスク２の半径方向に移動させて、選択されたフォルダの下の階層のフォルダ、ファイル名を読み出し、文字情報信号と制御信号とをＯＳＤ回路１０に送出して、読み出した下の階層のフォルダ、ファイル名をテレビ装置３０の画面に表示する（図示せず）。なお、テレビ装置３０の画面３０ａの上部に表示された「上の階層へ」Ｂを選択することにより（図３（ｂ）参照）、上の階層がある場合、上の階層に移動して、その階層のフォルダ、ファイル名がテレビ装置３０の画面３０ａに表示されるようになっている。また、テレビ装置３０の画面３０ａに表示されたディスク情報が一画面に表示しきれない場合、画面３０ａの下部に表示を上方向にスクロールするスクロールマークＡが表示され（図３（ｂ）参照）、リモコン装置２０のカーソルキー２０ｂと決定キー２０ｃとの操作によりスクロールマークＡが選択されると、表示が上方向にスクロールされて次のフォルダ、ファイル名が表示されるようになっている。なお、図示していないが、テレビ装置３０の画面３０ａに表示されたディスク情報が下に続かない場合、スクロールマークＡは表示されないようになっている。また、図示していないが、テレビ装置３０の画面３０ａに表示されたディスク情報がスクロールされると、画面３０ａの上部に表示を下方向にスクロールするスクロールマークが表示されるようになっている。
【００３３】
リモコン装置２０のカーソルキー２０ｂと決定キー２０ｃとの操作により選択メニュ画面の「ファイル一覧表示」が選択されると、マイコン１１は、サーボ回路５に制御信号を送出して、スピンドルモータ４とスレッドモータ（図示せず）とを駆動し、光ピックアップ３を光ディスク２の半径方向に移動させて、ディスク再生装置１に装着された光ディスク２に記録された全フォルダの中から再生可能なファイルのファイル名を光学的に読み出して、読み出されたファイル名を名前順にソートしてファイル一覧をテレビ装置３０の画面３０ａに表示し、テレビ装置３０の画面３０ａに表示されたファイル一覧のファイル名が一画面に表示しきれない場合、画面３０ａの下部に表示を上方向にスクロールするスクロールマークＡを表示する（図３（ｃ）参照）。そして、リモコン装置２０のカーソルキー２０ｂの操作によりテレビ装置３０の画面３０ａに表示されたファイル一覧のファイル名が選択されると、マイコン１１は、ＯＳＤ回路１０に制御信号を送出して、選択されたファイル名をハイライト表示し（図３（ｃ）参照。なお、同図では、ハイライト表示を矩形枠で示している）、リモコン装置２０の決定キー２０ｃが操作されると、サーボ回路５に制御信号を送出して、スピンドルモータ４とスレッドモータ（図示せず）とを駆動し、光ピックアップ３を光ディスク２の半径方向に移動させて、選択されたファイル名のファイルから光ディスク２を再生する。また、リモコン装置２０のカーソルキー２０ｂと決定キーとが操作によりスクロールマークＡが選択されると、マイコン１１は、ＯＳＤ回路１０に制御信号を送出して、表示を上方向にスクロールさせて次のファイル名を表示する。なお、図示していないが、テレビ装置３０の画面３０ａに表示されたファイル一覧のファイル名が下に続かない場合、スクロールマークＡは表示されないようになっている。また、図示していないが、テレビ装置３０の画面３０ａに表示されたファイル一覧の表示がスクロールされると、画面３０ａの上部に表示を下方向にスクロールするスクロールマークが表示されるようになっている。
【００３４】
また、リモコン装置２０のカーソルキー２０ｂと決定キー２０ｃとの操作により選択メニュ画面の「ＭＰ３一覧表示」が選択されると、マイコン１１は、サーボ回路５に制御信号を送出して、スピンドルモータ４とスレッドモータ（図示せず）とを駆動し、光ピックアップ３を光ディスク２の半径方向に移動させて、ディスク再生装置１に装着された光ディスク２に記録された全フォルダの中から再生可能なファイルのファイル名を光学的に読み出し、読み出したファイル名の中からＭＰ３形式のファイル名を抽出して、抽出したＭＰ３形式のファイル名を名前順にソートしてＭＰ３ファイル一覧をテレビ装置３０の画面３０ａに表示し、テレビ装置３０の画面３０ａに表示されたＭＰ３ファイル一覧のファイル名が一画面に表示しきれない場合、画面３０ａの下部に表示を上方向にスクロールするスクロールマークＡを表示する（図３（ｄ）参照）。そして、リモコン装置２０のカーソルキー２０ｂの操作によりテレビ装置３０の画面３０ａに表示されたＭＰ３ファイル一覧のファイル名が選択されると、マイコン１１は、ＯＳＤ回路１０に制御信号を送出して、選択されたＭＰ３形式のファイル名をハイライト表示し（図３（ｄ）参照。なお、同図では、ハイライト表示を矩形枠で示している）、リモコン装置２０の決定キー２０ｃが操作されると、サーボ回路５に制御信号を送出して、スピンドルモータ４とスレッドモータ（図示せず）とを駆動し、光ピックアップ３を光ディスク２の半径方向に移動させて、選択されたＭＰ３形式のファイル名のファイルから光ディスク２を再生する。また、リモコン装置２０のカーソルキー２０ｂと決定キーとが操作によりスクロールマークＡが選択されると、マイコン１１は、ＯＳＤ回路１０に制御信号を送出して、表示を上方向にスクロールさせて次のＭＰ３形式のファイル名を表示する。なお、図示していないが、テレビ装置３０の画面３０ａに表示されたＭＰ３ファイル一覧のファイル名が下に続かない場合、スクロールマークＡは表示されないようになっている。また、図示していないが、テレビ装置３０の画面３０ａに表示されたＭＰ３ファイル一覧の表示がスクロールされると、画面３０ａの上部に表示を下方向にスクロールするスクロールマークが表示されるようになっている。
【００３５】
また、リモコン装置２０のカーソルキー２０ｂと決定キー２０ｃとの操作により選択メニュ画面の「ＷＭＡ一覧表示」が選択されると、マイコン１１は、サーボ回路５に制御信号を送出して、スピンドルモータ４とスレッドモータ（図示せず）とを駆動し、光ピックアップ３を光ディスク２の半径方向に移動させて、ディスク再生装置１に装着された光ディスク２に記録された全フォルダの中から再生可能なファイルのファイル名を光学的に読み出し、読み出したファイル名の中からＷＭＡ形式のファイル名を抽出して、抽出したＷＭＡ形式のファイル名を名前順にソートしてＷＭＡファイル一覧をテレビ装置３０の画面３０ａに表示し、テレビ装置３０の画面３０ａに表示されたＷＭＡファイル一覧のファイル名が一画面に表示しきれない場合、画面３０ａの下部に表示を上方向にスクロールするスクロールマークＡを表示する（図３（ｅ）参照）。そして、リモコン装置２０のカーソルキー２０ｂの操作によりテレビ装置３０の画面３０ａに表示されたＷＭＡファイル一覧のファイル名が選択されると、マイコン１１は、ＯＳＤ回路１０に制御信号を送出して、選択されたＷＭＡ形式のファイル名をハイライト表示し（図３（ｅ）参照。なお、同図では、ハイライト表示を矩形枠で示している）、リモコン装置２０の決定キー２０ｃが操作されると、サーボ回路５に制御信号を送出して、スピンドルモータ４とスレッドモータ（図示せず）とを駆動し、光ピックアップ３を光ディスク２の半径方向に移動させて、選択されたＷＭＡ形式のファイル名のファイルから光ディスク２を再生する。また、リモコン装置２０のカーソルキー２０ｂと決定キーとが操作によりスクロールマークＡが選択されると、マイコン１１は、ＯＳＤ回路１０に制御信号を送出して、表示を上方向にスクロールさせて次のＷＭＡ形式のファイル名を表示する。なお、図示していないが、テレビ装置３０の画面３０ａに表示されたＷＭＡファイル一覧のファイル名が下に続かない場合、スクロールマークＡは表示されないようになっている。また、図示していないが、テレビ装置３０の画面３０ａに表示されたＷＭＡファイル一覧の表示がスクロールされると、画面３０ａの上部に表示を下方向にスクロールするスクロールマークが表示されるようになっている。
【００３６】
また、リモコン装置２０のカーソルキー２０ｂと決定キー２０ｃとの操作により選択メニュ画面の「ＪＰＥＧ一覧表示」が選択されると、マイコン１１は、サーボ回路５に制御信号を送出して、スピンドルモータ４とスレッドモータ（図示せず）とを駆動し、光ピックアップ３を光ディスク２の半径方向に移動させて、ディスク再生装置１に装着された光ディスク２に記録された全フォルダの中から再生可能なファイルのファイル名を光学的に読み出し、読み出したファイル名の中からＪＰＥＧ形式のファイル名を抽出して、抽出したＪＰＥＧ形式のファイル名を名前順にソートしてＪＰＥＧファイル一覧をテレビ装置３０の画面３０ａに表示し、テレビ装置３０の画面３０ａに表示されたＪＰＥＧファイル一覧のファイル名が一画面に表示しきれない場合、画面３０ａの下部に表示を上方向にスクロールするスクロールマークＡを表示する（図３（ｆ）参照）。そして、リモコン装置２０のカーソルキー２０ｂの操作によりテレビ装置３０の画面３０ａに表示されたＪＰＥＧファイル一覧のファイル名が選択されると、マイコン１１は、ＯＳＤ回路１０に制御信号を送出して、選択されたＪＰＥＧ形式のファイル名をハイライト表示し（図３（ｆ）参照。なお、同図では、ハイライト表示を矩形枠で示している）、リモコン装置２０の決定キー２０ｃが操作されると、サーボ回路５に制御信号を送出して、スピンドルモータ４とスレッドモータ（図示せず）とを駆動し、光ピックアップ３を光ディスク２の半径方向に移動させて、選択されたＪＰＥＧ形式のファイル名のファイルから光ディスク２を再生する。また、リモコン装置２０のカーソルキー２０ｂと決定キーとが操作によりスクロールマークＡが選択されると、マイコン１１は、ＯＳＤ回路１０に制御信号を送出して、表示を上方向にスクロールさせて次のＪＰＥＧ形式のファイル名を表示する。なお、図示していないが、テレビ装置３０の画面３０ａに表示されたＪＰＥＧ一覧のファイル名が下に続かない場合、スクロールマークＡは表示されないようになっている。また、図示していないが、テレビ装置３０の画面３０ａに表示されたＪＰＥＧ一覧の表示がスクロールされると、画面３０ａの上部に表示を下方向にスクロールするスクロールマークが表示されるようになっている。
【００３７】
また、リモコン装置２０のカーソルキー２０ｂと決定キー２０ｃとの操作によりテレビ装置３０の画面３０ａに表示された選択メニュ画面の「始めから再生」が選択されると、マイコン１１は、サーボ回路５に制御信号を送出して、スピンドルモータ４とスレッドモータ（図示せず）とを駆動し、光ピックアップ３を光ディスク２の半径方向に移動させて、ディスク装置１に装着された光ディスク２を先頭から順次再生する。
【００３８】
また、図４、図５の本発明の一実施例のディスク再生装置の動作を示すフローチャートを基に説明する。
【００３９】
リモコン装置のメニュキーが操作されると、ステップＳ１からステップＳ２に進み、選択メニュ画面が画面に表示され、ステップＳ３に進む。
【００４０】
ステップＳ３で、リモコン装置のカーソルキーと決定キーとの操作により画面に表示された選択メニュ画面の「始めから再生」が選択されたか否かが判断され、「始めから再生」が選択された場合、ステップＳ２２に進み、「始めから再生」が選択されていない場合、ステップＳ４に進む。
【００４１】
ステップＳ４で、リモコン装置のカーソルキーと決定キーとの操作により画面に表示された選択メニュ画面の「ディスク情報表示」が選択されたか否かが判断され、「ディスク情報表示」が選択された場合、ステップＳ９に進み、「ディスク情報表示」が選択されていない場合、ステップＳ５に進む。
【００４２】
ステップＳ５で、リモコン装置のカーソルキーと決定キーとの操作により選択メニュ画面の「ファイル一覧表示」が選択されたか否かが判断され、「ファイル一覧表示」が選択された場合、ステップＳ１０に進み、「ファイル一覧表示」が選択されていない場合、ステップＳ６に進む。
【００４３】
ステップＳ６で、リモコン装置のカーソルキーと決定キーとの操作により選択メニュ画面の「ＭＰ３一覧表示」が選択されたか否かが判断され、「ＭＰ３一覧表示」が選択された場合、ステップＳ１１に進み、「ＭＰ３一覧表示」が選択されていない場合、ステップＳ７に進む。
【００４４】
ステップＳ７で、リモコン装置のカーソルキーと決定キーとの操作により選択メニュ画面の「ＷＭＡ一覧表示」が選択されたか否かが判断され、「ＷＭＡ一覧表示」が選択された場合、ステップＳ１２に進み、「ＷＭＡ一覧表示」が選択されていない場合、ステップＳ８に進む。
【００４５】
ステップＳ８で、リモコン装置のカーソルキーと決定キーとの操作により選択メニュ画面の「ＪＰＥＧ一覧表示」が選択されたか否かが判断され、「ＪＰＥＧ一覧表示」が選択された場合、ステップＳ１３に進み、「ＪＰＥＧ一覧表示」が選択されていない場合、ステップＳ３に戻って、ステップ３からのステップを繰り返す。
【００４６】
ステップＳ９で、ディスク再生装置に装着された光ディスクのディスク情報が読み出され、読み出されたディスク情報が画面に表示され、ステップＳ１４に進む。
【００４７】
ステップＳ１０で、ディスク再生装置に装着された光ディスクに階層構造で記録された全フォルダの中から再生可能なファイルが読み出され、読み出されたファイル名が名前順にソートされてファイル一覧が画面に表示され、ステップＳ１４に進む。
【００４８】
ステップＳ１１で、ディスク再生装置に装着された光ディスクに階層構造で記録された全フォルダの中から再生可能なファイルのファイル名が読み出され、読み出されたファイル名の中からＭＰ３形式のファイル名が抽出され、抽出されたＭＰ３形式のファイル名が名前順にソートされてＭＰ３ファイル一覧が画面に表示され、ステップＳ１４に進む。
【００４９】
ステップＳ１２で、ディスク再生装置に装着された光ディスクに階層構造で記録された全フォルダの中から再生可能なファイルのファイル名が読み出され、読み出されたファイル名の中からＷＭＡ形式のファイル名が抽出され、抽出されたＷＭＡ形式のファイル名が名前順にソートされてＷＭＡファイル一覧が画面に表示され、ステップＳ１４に進む。
【００５０】
ステップＳ１３で、ディスク再生装置に装着された光ディスクに階層構造で記録された全フォルダの中から再生可能なファイルのファイル名が読み出され、読み出されたファイル名の中からＪＰＥＧ形式のファイル名が抽出され、抽出されたＪＰＥＧ形式のファイル名が名前順にソートされてＪＰＥＧファイル一覧が画面に表示され、ステップＳ１４に進む。
【００５１】
ステップＳ１４で、リモコン装置のカーソルキーと決定キーとの操作により画面に表示されたフォルダが選択されたか否かが判断され、フォルダが選択された場合、ステップＳ１５に進み、フォルダが選択されていない場合、ステップＳ１６に進む。
【００５２】
ステップＳ１５で、選択されたフォルダの下の階層に移動して、その階層のフォルダ、ファイルが画面に表示され、ステップＳ１６に進む。
【００５３】
ステップＳ１６で、リモコン装置のカーソルキーと決定キーとの操作により画面に表示された「上の階層へ」が選択されたか否かが判断され、「上の階層へ」が選択された場合、ステップＳ１７に進み、「上の階層へ」が選択されていない場合、ステップＳ１８に進む。
【００５４】
ステップＳ１７で、上の階層がある場合、上の階層に移動して、その階層のフォルダ、ファイルが画面に表示され、ステップＳ１８に進む。
【００５５】
ステップＳ１８で、リモコン装置のカーソルキーと決定キーとの操作により画面に表示されたスクロールマークが選択されたか否かが判断され、スクロールマークが選択された場合、ステップＳ１９に進み、スクロールマークが選択されていない場合、ステップＳ２０に進む。
【００５６】
ステップＳ１９で、選択されたスクロールマークの方向に画面に表示された表示がスクロールされ、ステップＳ２０に進む。
【００５７】
ステップＳ２０で、リモコン装置のカーソルキーと決定キーとの操作により画面に表示されたファイル名が選択されたか否かが判断され、画面に表示されたファイル名が選択された場合、ステップＳ２１に進み、画面に表示されたファイル名が選択されていない場合、ステップＳ１４に戻って、ステップＳ１４からのステップを繰り返す。
【００５８】
ステップＳ２１で、選択されたファイル名のファイルから光ディスクが再生され、ステップＳ２３に進んで処理を終了する。
【００５９】
ステップＳ２２で、光ディスクが先頭から順次再生され、ステップＳ２３に進んで処理を終了する。
【００６０】
以上、本発明を実施するための最良の形態について詳述したが、本発明はこれに限らず、当業者の通常の知識の範囲内でその変形や改良が可能である。例えば、ＭＰ３形式、ＷＭＡ形式、ＪＰＥＧ形式のファイル形式を選択して、選択されたファイル形式のファイル一覧を表示することを説明したが、他のファイル形式を選択して、そのファイル形式のファイル一覧を表示するようにしてもよい。
【図面の簡単な説明】
【００６１】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の画面表示例を示す説明図である。
【図４】本発明の一実施例のディスク再生装置の動作を示すフローチャートである。
【図５】本発明の一実施例のディスク再生装置の動作を示すフローチャートである。
【符号の説明】
【００６２】
１  ディスク再生装置
２  光ディスク
３  光ピックアップ
４  スピンドルモータ
５  サーボ回路
６  同期検出／ＡＤ変換回路
７  復調／誤り訂正回路
８  デコーダ
９  エンコーダ／ＤＡ変換回路
１０  ＯＳＤ回路
１１  マイコン
１２  リモコン受信部
２０  リモコン装置
２０ａ  メニュキー
２０ｂ  カーソルキー
２０ｃ  決定キー
３０  テレビ装置
３０ａ  画面
【図１】
2005135472.tif 000003
【図２】
2005135472.tif 000004
【図３】
2005135472.tif 000005
【図４】
2005135472.tif 000006
【図５】
2005135472.tif 000007